(57)【要約】【課題】光ダクトシステムの放光部から出射される光を制御することができる。【解決手段】  実施形態に係る照明システムは、外光を伝播するダクトからの光を空間に照射するための放光部と；前記放光部を覆うように配設され、入射面に入射した光を拡散して前記空間に面した発光面から出射する拡散部と；前記拡散部の前記入射面に向かう光を出射する光源を有する光源部と；を具備することにより、外光に拘わらず発光面の発光を制御して、所望の照明を実現する。【選択図】図１
2014123513.tif 000002
【特許請求の範囲】
【請求項１】
外光を伝播するダクトからの光を空間に照射するための放光部と；
前記放光部を覆うように配設され、入射面に入射した光を拡散して前記空間に面した発光面から出射する拡散部と；
前記拡散部の前記入射面に向かう光を出射する光源を有する光源部と；
を具備したことを特徴とする照明システム。
【請求項２】
前記光源を調光制御する光源制御部
を具備したことを特徴とする請求項１に記載の照明システム。
【請求項３】
前記光源部は、２種類以上の色温度の光を出射する複数種類の光源により構成されることを特徴とする請求項１に記載の照明システム。
【発明の詳細な説明】
【技術分野】
【０００１】
本発明の実施形態は、照明システムに関する。
【背景技術】
【０００２】
従来、外光、特に太陽光を屋内に取り込み室内を照明するための光ダクトシステムが開発されている。光ダクトシステムは、採光部から取り込んだ光を、反射面によって構成されたダクト状の導光部によって家屋内に導き、放光部から室内に照射することで、自然光を利用した照明を行うものである。
【０００３】
また、天井面に、光ダクトシステムの放光部と一般的な照明器具とを配置して室内を照明することにより、太陽光の明るさ変動に拘わらず、安定した照明を可能にしたシステムも開発されている。
【０００４】
また、屋内の各部屋に放光部を設けた場合には、導光部の経路の相違等によって、放光部から出射される光の色温度に差が生じることが考えられる。このような色温度の差を緩和するために、ダクト内にカラーフィルターを配置して、放光部からの光の色温度を調整する技術も開発されている。
【０００５】
しかしながら、採光部から取り込まれる光は、季節、時間、天候等の自然環境や人工的な環境の変化に応じて変化し、放光部から出射される光の色温度、色相、明るさ等も変化してしまう。例えば、ダクト内にカラーフィルタを設けたとしても、放光部から出射される光の色を自由に制御することができるわけではなく、また、夜間において放光部が暗部となることは避けられない。
【０００６】
このように、従来、光ダクトシステムの放光部から出射される光の色温度、色相、明るさ等を自由に設定することはできず、ユーザが希望する照明が得られないだけでなく、室内に配置した放光部の明るさや色によって不自然な印象が与えられることもあるという問題があった。
【先行技術文献】
【特許文献】
【０００７】
【特許文献１】特開２０１２−９４３９４号公報
【発明の概要】
【発明が解決しようとする課題】
【０００８】
本発明の実施形態は、光ダクトシステムの放光部から出射される光を制御することができる照明システムを提供することを目的とする。
【課題を解決するための手段】
【０００９】
実施形態に係る照明システムは、外光を伝播するダクトからの光を空間に照射するための放光部と；前記放光部を覆うように配設され、入射面に入射した光を拡散して前記空間に面した発光面から出射する拡散部と；前記拡散部の前記入射面に向かう光を出射する光源を有する光源部と；を具備する。
【発明の効果】
【００１０】
本発明の実施形態によれば、光ダクトシステムの放光部から出射される光を制御することができるという効果を有する。
【図面の簡単な説明】
【００１１】
【図１】本発明の第１の実施の形態に係る照明システムを説明するための説明図。
【図２】光源２２としてＬＥＤを採用した場合のＬＥＤの配置例を示す説明図。
【図３】各光源２２を制御する光源制御部４０の具体的な構成の一例を示すブロック図。
【図４】本発明の第２の実施の形態を示す説明図。
【図５】本発明の第２の実施の形態を示す説明図。
【図６】本発明の第３の実施の形態を示す説明図。
【発明を実施するための最良の形態】
【００１２】
実施形態に係る照明システムは、外光を伝播するダクトからの光を空間に照射するための放光部と；前記放光部を覆うように配設され、入射面に入射した光を拡散して前記空間に面した発光面から出射する拡散部と；前記拡散部の前記入射面に向かう光を出射する光源を有する光源部と；を具備する。
【００１３】
また、実施形態に係る照明システムは、前記光源を調光制御する光源制御部を具備する。
【００１４】
また、実施形態に係る照明システムは、前記光源部が、２種類以上の色温度の光を出射する複数種類の光源により構成される。
【００１５】
また、実施形態に係る照明システムは、前記光源制御部が、前記複数種類の光源を各種類毎に調光制御する。
【００１６】
また、実施形態に係る照明システムは、前記光源制御部が、前記外光の検出結果に基づいて調光制御を行う。
【００１７】
また、実施形態に係る照明システムは、前記光源部が、前記拡散部の前記入射面側に配設される。
【００１８】
また、実施形態に係る照明システムは、前記光源部が、前記ダクトから前記空間への前記外光の伝播路内に配設される。
【００１９】
また、実施形態に係る照明システムは、前記光源部が、前記ダクトから前記空間への前記外光の伝播路内に配設される。
【００２０】
また、実施形態に係る照明システムは、前記光源が、相互に異なる色光で発光する複数の領域を有する。
【００２１】
また、実施形態に係る照明システムは、前記光源制御部が、夜間においても均一な照度で前記発光面を発光させる。
【００２２】
また、実施形態に係る照明システムは、前記光源制御部が、前記外光に拘わらず所望の色温度の光で前記発光面を発光させる。
【００２３】
以下、図面を参照して本発明の実施の形態について詳細に説明する。
【００２４】
（第１の実施の形態）
図１は本発明の第１の実施の形態に係る照明システムを説明するための説明図である。
【００２５】
本実施の形態の照明システムは、家屋や施設等の各種建造物に採用される光ダクトシステムを利用したものである。光ダクトシステムは、外光を取り込む採光部、採光部で取り込んだ光を導く導光部及び導光部に設けられた開口であり導光部からの光を照射する放光部を有する。導光部を構成する光ダクトは、建造物内の各空間に延設され、各空間に向けて開口した放光部を介して各空間に光を照射可能に配置される。
【００２６】
図１はこのような空間の１つである屋内空間１４を示しており、屋内空間１４は、天井１１の天井面１１ａ、壁面１２及び床面１３によって囲まれた空間である。天井面１１ａには照明部１５が配設されている。天井裏１６には、天井１１に沿って導光部である光ダクト１７が設けられている。光ダクト１７は、図示しない採光部から取り込んだ光を各部屋に導くものであり、ダクト状の部材であって、ダクト状の内面には反射面が形成されて、採光部から取り込んだ光を放光部１８まで導くことができるようになっている。
【００２７】
放光部１８は、光ダクト１７に設けられた開口部及びこの開口部に対応して例えば略同じサイズで天井１１に設けられた開口部１１ｂによって形成されている。放光部１８は、採光部から光ダクト１７を介して進行した光を、屋内空間１４に導くことができるようになっている。
【００２８】
本実施の形態においては、この放光部１８を覆うように、照明部１５が配設されており、放光部１８を通過した光は照明部１５を介して屋内空間１４に照射されるようになっている。照明部１５は、拡散板２１、複数の光源２２及び各光源２２に夫々対応して設けられた反射板２３によって構成されている。
【００２９】
拡散部を構成する拡散板２１は、上面が開口した箱形状に形成されている。拡散板２１は、底板部２１ａ及び側板部２１ｂを有し、底板部２１ａは、放光部１８の開口部１１ｂよりも広い面積を有している。放光部１８の開口部１１ｂを拡散板２１で覆うように、側板部２１ｂの上端を天井面１１ａに取り付けることで、放光部１８からの光は拡散板２１を介して屋内空間１４に放射されるようになっている。拡散板２１は、内側から入射した光を拡散させて、屋内空間１４に望む外側の面（以下、発光面という）から出射するようになっており、発光面（底板部２１ａ及び側板部２１ｂの屋内空間１４側の面）での輝度むらをなくし、均斉度を高くする働きを有する。
【００３０】
本実施の形態においては、開口部１１ｂの周囲の天井面１１ａと底板部２１ａとの空間には、複数の光源２２が配設されている。光源２２としては、ＬＥＤ等の種々の光源を採用することができる。各光源２２には、矢印にて示すように、光源２２からの光を主に底板部２１ａに照射させるための反射板２３が配設されている。これにより、拡散板２１の発光面からは、放光部１８からの光と光源２２からの光とが拡散されて、均一な光が屋内空間１４側に出射される。
【００３１】
図２は光源２２としてＬＥＤを採用した場合のＬＥＤの配置例を示す説明図である。なお、図１及び図２では、拡散板２１は箱形状であり、底板部２１ａは四角形である例を示しているが、拡散板２１及び底板部２１ａは、任意の形状であってもよい。例えば、底板部２１ａとして円形状を採用してもよく、また、拡散板２１を球形状に構成してもよい。また、図２はＬＥＤの配置のみを示しており、反射板２３については図示を省略する。
【００３２】
図２（ａ）はＬＥＤを２列に配置した例を示している。図２（ａ）に示すように、拡散板２１の側板部２１ｂと放光部１８との間の空間には、光源２２を構成するＬＥＤ３１が２列に配置されている。ＬＥＤ３１としては、例えば電球色や白色のＬＥＤを採用することができる。図２（ｂ）は図２（ａ）のＬＥＤ３１に代えて直管ＬＥＤランプ３２を採用した例である。
【００３３】
図２（ｃ）は光源２２として、２色のＬＥＤ３３ａ（斜線ハッチング），３３ｂ（網線ハッチング）を採用した例である。例えば、ＬＥＤ３３ａは電球色のＬＥＤであり、ＬＥＤ３３ｂは白色のＬＥＤである。なお、図２（ｃ）では２色のＬＥＤを用いる例を示しているが、３色以上のＬＥＤを用いるようにしてもよい。各色のＬＥＤの発光を制御することで、発光面から任意の色の光を照射させることが可能である。
【００３４】
図２（ｄ）は、電球色のＬＥＤ３３ａと白色のＬＥＤ３３ｂとを交互に配置した例を示している。これにより、発光面での色むらを抑制することが可能である。また、図３（ｅ），（ｆ）は、放光部１８の４辺に沿って、ＬＥＤ３３ａ，３３ｂを配置した例を示している。
【００３５】
光源２２として採用する各ＬＥＤが電球色及び白色の２色の色光を発光することができる場合には、これらのＬＥＤの発光を制御することで、太陽光の色温度に対応する色温度で発光面を発光させることが可能である。
【００３６】
本実施の形態においては、ＬＥＤ等によって構成される各光源２２の光量を制御することができるようになっている。図３は各光源２２を制御する光源制御部４０の具体的な構成の一例を示すブロック図である。なお、光源制御部４０は、任意の場所、例えば、屋内空間１４等に設置されている。
【００３７】
光ダクト１７には、光センサ２５が設けられている。光センサ２５は、光ダクト１７内に導かれた外光の光量、色温度、色相等を検出して、検出結果を光源制御部４０の外光検出部４１に出力する。外光検出部４１は、光センサ２５の出力から、外光の光量、色温度、色相等を求めて、これらの情報を制御値算出部４２に出力する。
【００３８】
ユーザ設定部４３は、ユーザ操作に基づく設定値を発生して制御値算出部４２に出力するようになっている。例えば、ユーザ設定部４３は、発光面からの光の光量及び色温度を所定の光量及び色温度に設定するための設定値を出力することができる。また、例えば、ユーザ設定部４３は、発光面からの光の光量及び色温度を時間と共に設定した値に変化させるための設定値を出力することもできる。
【００３９】
制御値算出部４２は、外光の検出結果とユーザ設定部４３からの設定値が与えられ、設定値に基づく光を発光面から出射させるための各光源２２の制御値を求めて、光源駆動部４４に出力する。光源駆動部４４は、制御値算出部４２から制御値に基づいて、各光源２２を点灯させる。こうして、各光源２２は、発光面からユーザの設定した光が発せられるように、点灯制御される。
【００４０】
光源制御部４０は、光センサ２５の出力に応じて、各光源２２を点灯制御する例について説明したが、光センサ２５の出力を用いることなく、時間の経過と共に予め決められた制御値に基づいて各光源２２の点灯制御を行うようにしてもよい。例えば、外光に拘わらず、光源制御部４０は、朝には発光面から比較的色温度が高い光を発光させるように光源２２を点灯制御し、夕方には発光面から比較的色温度が低い光を発光させるように光源２２を点灯制御してもよい。これにより、曇った日でも晴れた日と同じような照明が可能である。
【００４１】
また、例えば、光源制御部４０は、光センサ２５の出力を利用することで、通常の太陽光の色温度の変化とは逆の変化で発光面を発光させてもよい。例えば、朝の太陽光は比較的色温度が高く、夕方の太陽光は比較的色温度が低いが、朝には発光面の色温度を低くして眩しすぎないように点灯制御し、夕方には発光面の色温度を高くするように点灯制御して作業しやすい環境を作り出すようにしてもよい。
【００４２】
このように本実施の形態においては、光ダクトの放光部近傍に光源を設け、この光源からの光を拡散部を介して出射させるようになっており、拡散部の発光面から、放光部からの光と光源からの光を拡散させて出射させることができる。これにより、外光に拘わらず、発光面を所望の明るさで発光させることができる。また、放光部からの外光は光源に遮られることなく拡散板に入射するので、発光効率の低下を防ぐことが可能である。
【００４３】
また、複数の光源として２色以上の光源を用いることにより、ユーザが希望する明るさ及び色温度で発光面を発光させることも可能である。例えば、実際の外光の明るさに拘わらず、時間に応じて太陽の色と同じような色温度で発光面を変化させることもでき、あるいは、外光に拘わらず、一定の色温度で発光面を発光させることも可能である。更に、光源からの光だけでも、発光面を均一に発光させることができ、夜間など太陽光の光量が低下した場合であっても、違和感を与えることなく十分な光量で空間の照明が可能である。
【００４４】
（第２の実施の形態）
図４及び図５は本発明の第２の実施の形態を示す説明図である。図４及び図５において図１と同一の構成要素には同一符号を付して説明を省略する。図４及び図５はそれぞれ第２の実施の形態の照明システムの断面構造とその斜視図を示している。
【００４５】
第１の実施の形態においては、底板部の上方であって放光部に対向した空間以外の空間に光源を配置した。これに対し、本実施の形態は放光部と拡散部との間に光源を配置する例である。
【００４６】
図４において、屋内空間１４は天井１１によって天井裏１６と区画されている。天井裏１６には、天井１１に沿って導光部である光ダクト５１が設けられている。光ダクト５１は、図示しない採光部から取り込んだ光を各部屋に導くものであり、ダクト状の部材であって、ダクト状の内面には反射面が形成されて、採光部から取り込んだ光を放光部５２まで導くことができるようになっている。
【００４７】
本実施の形態においては、図４及び図５に示すように、光ダクト５１は、水平部５１ａ及び垂直部５１ｂによって構成されている。垂直部５１ｂは、一端が水平部５１ａに設けた開口部に取り付けられ、この開口部から屋内空間１４に向けて例えば鉛直下方に延設され、他端は天井１１に設けた開口部１１ｂに嵌め込まれている。
【００４８】
放光部５２は、光ダクト５１の垂直部５１ｂの下端開口部及びこの開口部に対応して例えば略同じサイズで天井１１に設けられた開口部１１ｂによって形成されており、この放光部５２を閉塞するように拡散板５３が設けられている。
【００４９】
採光部から光ダクト５１の水平部５１ａ及び垂直部５１ｂを介して進行した光は、放光部５２から屋内空間１４に放射される。即ち、放光部５２に到達した外光は、拡散板５３によって拡散され、拡散板５３の屋内空間１４側の面（発光面）において均一な光となって屋内空間１４に放射される。
【００５０】
本実施の形態においては、光ダクト５１の垂直部５１ｂの下端側に光源部５４が設けられており、光源部５４及び拡散板５３によって照明部５５が構成される。光源部５４は、複数の直管光源５４ａ，５４ｂが略水平に配置されて構成される。直管光源５４ａ，５４ｂとしては、例えば、直管ＬＥＤランプを採用することができる。
【００５１】
直管光源５４ａ，５４ｂは、光を鉛直下方、即ち、拡散板５３方向に出射する。直管光源５４ａ，５４ｂからの光は、外光と共に拡散板２１に入射し、拡散板２１の発光面からは、外光と直管光源５４ａ，５４ｂからの光とが拡散されて、均一な光が屋内空間１４側に出射される。
【００５２】
なお、図５では、図面の見やすさを考慮して、光ダクト５１のサイズに比べて直管光源５４ａ，５４ｂの径は比較的大きいが、実際には、光ダクト５１のサイズに比べて直管光源５４ａ，５４ｂの径は比較的小さく、光ダクト５１のサイズの例えば１／１００程度の径の直管光源５４ａ，５４ｂを採用することができる。従って、直管光源５４ａ，５４ｂ相互間には十分なサイズの隙間が空いており、この隙間から外光を通過させることができ、光ダクト５１からの外光は光源部５４によって殆ど遮られることなく拡散板５３に到達する。
【００５３】
また、直管光源５４ａ，５４ｂを拡散板５３に対向させて配置しており、また、直管ＬＥＤランプ等の直管光源５４ａ，５４ｂは光を上方に出射しない構造にすることができる。このため、直管光源５４ａ，５４ｂから水平部５１ａの開口部方向への光の放射はなく、直管光源５４ａ，５４ｂからの光の殆どは減衰されることなく拡散板５３に入射することになる。これにより、本実施の形態においては、直管光源５４ａ，５４ｂからの光を効率よく拡散板５３に入射させて発光面を発光させることができる
また、光源部５４は、光ダクト５１の垂直部５１ｂ内に設けられる。即ち、光源部５４は光ダクト５１の垂直部５１ｂの平面内であって天井面１１ａよりも上方に設けられるので、照明部５５の平面サイズをダクトサイズまで小さくすることができると共に、発光面を天井面１１ａと面一に構成することができる。
【００５４】
本実施の形態においても、直管光源５４ａ，５４ｂの光量を光源制御部４０（図１参照）によって制御することができるようになっている。光源制御部４０は光ダクト５１に設けられた光センサ２５（図示省略）の出力及びユーザの設定操作に基づいて、各直管光源５４ａ，５４ｂの光量を制御するようになっている。これにより、本実施の形態においても、放光部５２に導かれた外光に拘わらず、光源部５４の光によって発光面の明るさ及び色温度を制御可能である。
【００５５】
また、本実施の形態においても、複数の直管光源５４ａ，５４ｂとして、同一色の色光を発生する直管ランプを採用するだけでなく、２色以上の異なる色光を発生する直管ランプを採用することができる。例えば、電球色の直管光源５４ａと白色の直管光源５４ｂとを交互に配置し、これらの直管光源５４ａ，５４ｂの発光を相互に独立して制御することにより、任意の色温度の色光を発光面から放射させることが可能である。
【００５６】
また、直管光源５４ａ，５４ｂとして、長手方向の各領域毎に異なる色光を発生する直管ランプを採用することも可能である。このような直管光源５４ａ，５４ｂを採用した場合には、同一種の直管光源５４ａ，５４ｂを用いた場合でも、任意の色温度の色光を発光面から放射させることが可能である。
【００５７】
このように本実施の形態においても、第１の実施の形態と同様の効果を得ることができる。例えば、各直管光源を独立して調光制御して色温度を調整することで、発光面からの光を太陽光に概ね合わせることや、夜間、太陽光の明るさが低下した場合であっても、放光部の見栄えを変えることなく、人工光のみで所望の照度を得ること等が可能となる。また、本実施の形態においては、光ダクトから放光部への光の経路途中に直管光源を配置している。これにより、直管光源からの光を効率よく拡散板に出射させて発光面から室内空間に放射させることができる。
【００５８】
（第３の実施の形態）
図６は本発明の第３の実施の形態を示す説明図である。図６において図１と同一の構成要素には同一符号を付して説明を省略する。図６は第３の実施の形態の照明システムの断面構造を示している。
【００５９】
第１の実施の形態においては、底板部の上方であって放光部に対向した空間以外の空間に光源を配置した。これに対し、本実施の形態は放光部近傍であって放光部の外側に光源を配置する例である。
【００６０】
図６において、屋内空間１４は天井１１によって天井裏１６と区画されている。天井裏１６には、天井１１に沿って導光部である光ダクト６１が設けられている。光ダクト６１は、図示しない採光部から取り込んだ光を各部屋に導くものであり、ダクト状の部材であって、ダクト状の内面には反射面が形成されて、採光部から取り込んだ光を放光部６２まで導くことができるようになっている。
【００６１】
本実施の形態においては、光ダクト６１は、水平部６１ａ及び垂直部６１ｂによって構成されている。垂直部６１ｂは、一端が水平部６１ａに設けた開口部に取り付けられ、この開口部から屋内空間１４に向けて例えば鉛直下方に延設され、他端は開口部を構成して、この開口部は天井１１に設けた開口部１１ｃに望んでいる。
【００６２】
放光部６２は、光ダクト６１の垂直部６１ｂの下端開口部及びこの開口部に対応して若干大きいサイズで天井１１に設けられた開口部１１ｃによって形成されており、この放光部６２を閉塞するように照明部６６が設けられている。
【００６３】
照明部６６は、光ダクト６１の垂直部６１ｂの下端開口部を閉塞する導光板６３、この導光板６３の両側面に取り付けられた複数の光源６４及び導光板６３の屋内空間１４側の面に設けられた拡散シート６５によって構成されている。導光板６３は、光ダクト６１の垂直部６１ｂの下端開口部の開口形状と同一の平面形状を有する板状部材であり、例えば、図２の例のように平面形状は四角形である。図６では、導光板６３はこのような四角形状の例を示しており、導光板６３の４つの側面のうち対向する２つの側面に沿って夫々複数の光源６４が配設されている。
【００６４】
なお、導光板６３及び拡散部を構成する拡散シート６５は、透明性を有し、照明部６６を通過する光は殆ど減衰することはない。光源６４としては、例えば、ＬＥＤ等の種々の光源を採用することができる。
【００６５】
採光部から光ダクト６１の水平部６１ａ及び垂直部６１ｂを介して進行した光は、放光部６２に設けられた照明部６６の導光板６３及び拡散シート６５を介して屋内空間１４に導かれる。即ち、光ダクト６１から放光部６２に到達した外光は、導光板６３を透過し、拡散シート６５によって拡散され、拡散シート６５の屋内空間１４側の面（発光面）において均一な光となって屋内空間１４に放射される。
【００６６】
本実施の形態においては、導光板６３の両側面に設けられた複数の光源６４は、導光板６３の側面から導光板６３の内側に向けて光を照射することができるようになっている。導光板６３は、印刷によって形成された図示しない反射部や凹凸形状による反射部等を有しており、側面から入射した光を、略全面において下方に向けて出射することができるようになっている。
【００６７】
導光板６３の両側面に設けられた光源６４からの入射光は、導光板６３の全面において略鉛直下方に導光される。導光板６３によって鉛直下方に導かれた光源６４からの光は、拡散シート６５において外光と共に拡散され、発光面から均一な光となって屋内空間１４に放射される。
【００６８】
照明部６６の大部分を、光ダクト６１の垂直部６１ｂ内に設けることができ、また、光源６４を光ダクト６１の垂直部６１ｂの平面内であって天井面１１ａよりも上方に設けることができるので、照明部６６の平面サイズを十分に小さくすることができると共に、発光面を天井面と面一に構成することができる。
【００６９】
本実施の形態においても、光源６４の光量を光源制御部４０（図１参照）によって制御することができるようになっている。光源制御部４０は光ダクト６１に設けられた光センサ２５（図示省略）の出力及びユーザの設定操作に基づいて、各光源６４の光量を制御するようになっている。これにより、本実施の形態においても、放光部６２に導かれた外光に拘わらず、光源６４の光によって発光面の明るさ及び色温度を制御可能である。
【００７０】
また、本実施の形態においても、複数の光源６４として、同一色の色光を発生するランプを採用するだけでなく、２色以上の異なる色光を発生するランプを採用することができる。例えば、光源６４として、電球色のＬＥＤと白色のＬＥＤとを交互に配置し、これらのＬＥＤの発光を相互に独立して制御することにより、任意の色温度の色光を発光面から放射させることが可能である。
【００７１】
また、光源６４としては、図２のＬＥＤ３１，３２，３３ａ，３３ｂや直管ＬＥＤランプ等を採用することができ、導光板６３の側面のうちの任意の面にこれらのＬＥＤを適宜配置するようにしてもよい。また、更に、光源６４として、長手方向の各領域毎に異なる色光を発生する直管ランプを採用することも可能である。
【００７２】
このように本実施の形態においても、上記各実施の形態と同様の効果を得ることができる。また、本実施の形態においては、光ダクトから放光部への光の経路の外側に光源を配置しており、外光は放光部において導光板及び拡散シートのみを通過することになり、照明部通過時における外光の減衰を十分に抑制することができる。
【００７３】
なお、上記各実施の形態においては、放光部を天井に設ける例について説明したが、放光部を壁に設けて、壁面から外光及び光源による光を拡散部によって拡散して均一な光として空間に放射するようにしてもよい。
【００７４】
また、拡散シートを用いる例を示したが、拡散シートに代えて導光板に拡散処理を施すことにより拡散部を形成するようにしてもよい。
【００７５】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７６】
１１…天井、１２…壁面、１３…床面、１４…屋内空間、１５…照明部、１６…天井裏、１７…光ダクト、１８…放光部、２１…拡散板、２１ａ…底板部、２１ｂ…側板部、２２…光源、２３…反射板、２５…光センサ、４０…光源制御部。
【図１】
2014123513.tif 000003
【図２】
2014123513.tif 000004
【図３】
2014123513.tif 000005
【図４】
2014123513.tif 000006
【図５】
2014123513.tif 000007
【図６】
2014123513.tif 000008